(57)【特許請求の範囲】
【請求項１】
長手方向に伸びる擬似溝が表面に形成されたパネル本体と、このパネル本体に内蔵される電気ヒータと、この電気ヒータに結線された状態で前記パネル本体を横断する電源線と、この電源線の両端にそれぞれ接続されたコネクタと、一方の前記コネクタを前記パネル本体の一方の長辺側から引出可能に収容する、前記パネル本体の裏面側に形成された収容凹部と、この収容凹部の上面に固着された補強板とを備えた床暖房パネルにおいて、
前記パネル本体の裏面側に形成された前記収容凹部は、前記パネル本体の表面に形成された前記擬似溝と平面的に重なっており、
前記収容凹部の奥行き方向の内端が前記擬似溝の前後１０ｍｍ以内の領域から外れていることを特徴とする床暖房パネル。
【発明の詳細な説明】
【０００１】
【発明の属する技術分野】
この発明は、パネル本体に内蔵された電気ヒータに結線された電源線の両端部にそれぞれコネクタが接続され、一方のコネクタがパネル本体から引出可能に収容される床暖房パネルに関する。
【０００２】
【従来の技術】
この種の床暖房パネルとしては、図６に示すようなものがある。この床暖房パネル５０は、同図に示すように、長手方向に伸びる擬似溝５１ａが表面に形成された、平面形状が長方形のパネル本体５１に所定のヒータパターンで布線された線ヒータ５２が内蔵されていると共に、この線ヒータ５２に接続される電源線５３がパネル本体５１の短手方向を横断するように配設されており、この電源線５３の両端部にはそれぞれコネクタ５４、５５が接続されている。
【０００３】
一方のコネクタ５４は、図７（ａ）に示すように、パネル本体５１の一方の長辺側に形成された収容凹部５６に収容された状態に固定設置されており、他方のコネクタ５５は、同図（ｂ）、（ｃ）に示すように、パネル本体５１の他方の長辺側に形成された収容凹部５７にパネル本体５１から引出可能に収容されている。
【０００４】
また、図７（ｂ）、（ｃ）及び図８に示すように、コネクタ５５を引出可能に収容する収容凹部５７の上面には、合成樹脂または金属によって形成された門型形状の補強板５８が固着されており、この補強板５８によって収容凹部５７の上面の略全面が覆われている。
【０００５】
【発明が解決しようとする課題】
ところで、上述したような構造の床暖房パネル５０では、パネル本体５１から引出可能にコネクタ５５を収容する収容凹部５７は、図７（ｃ）に示すように、コネクタ５５を引き出すための電源線５３の一部を屈曲させた状態でコネクタ５５と共に収容することになるため、一方の収容凹部５６に比べてその奥行きが大きくなり、収容凹部５７の奥行き方向の内端５７ａが、パネル本体５１に形成された擬似溝５１ａの近傍に位置する場合がある。
【０００６】
しかしながら、上述したように、収容凹部５７の奥行き方向の内端５７ａが、パネル本体５１に形成された擬似溝５１ａの近傍に位置する場合、擬似溝５１ａの近傍部分の肉厚が極端に小さくなるので、こういった構造の床暖房パネル５０を敷設した状態で、その収容凹部５７が形成されている部分、特に、補強板５８の内端部分に衝撃荷重が加わると、その擬似溝５１ａ部分に亀裂が入り、パネル本体５１が破壊されるおそれがあった。
【０００７】
そこで、この発明の課題は、コネクタを引出可能に収容する収容凹部が形成された部分に衝撃荷重が加わった場合でも、パネル本体が破壊されない床暖房パネルを提供することにある。
【０００８】
【課題を解決するための手段及びその効果】
上記の課題を解決するため、請求項１に係る発明は、長手方向に伸びる擬似溝が表面に形成されたパネル本体と、このパネル本体に内蔵される電気ヒータと、この電気ヒータに結線された状態で前記パネル本体を横断する電源線と、この電源線の両端にそれぞれ接続されたコネクタと、一方の前記コネクタを前記パネル本体の一方の長辺側から引出可能に収容する、前記パネル本体の裏面側に形成された収容凹部と、この収容凹部の上面に固着された補強板とを備えた床暖房パネルにおいて、前記パネル本体の裏面側に形成された前記収容凹部は、前記パネル本体の表面に形成された前記擬似溝と平面的に重なっており、前記収容凹部の奥行き方向の内端が前記擬似溝の前後１０ｍｍ以内の領域から外れていることを特徴とする床暖房パネルを提供するものである。
【０００９】
以上のように構成された床暖房パネルでは、パネル本体の裏面側に形成された収容凹部が、パネル本体の表面に形成された長手方向に延びる擬似溝と平面的に重なっているが、収容凹部の奥行き方向の内端が擬似溝の前後１０ｍｍ以内の領域から外れているので、パネル本体における擬似溝近傍は、厚みが小さくても補強板の端縁以外の部分によって確実に補強された状態となる。従って、パネル本体における擬似溝の近傍部分の強度が大きくなり、この床暖房パネルを敷設した状態で、その収容凹部が形成されている部分に衝撃荷重が加わったとしても、その擬似溝部分に亀裂が入ってパネル本体が破壊されることを確実に防止することができる。
【００１１】
【発明の実施の形態】
以下、実施の形態について図面を参照して説明する。図１及び図２に示すように、この床暖房パネル１は、長方形状のパネル本体１０と、このパネル本体１０に内蔵される線ヒータ２０と、この線ヒータ２０に結線された状態でパネル本体１０をその短手方向に横断する電源線３０と、この電源線３０の両端にそれぞれ接続されたコネクタ４０ａ、４０ｂとから構成されている。
【００１２】
前記パネル本体１０は、表面に突板等の表面化粧材（図示せず）が貼着された、３プライ合板または５プライ合板等の木質板からなるパネル基材１１と、このパネル基材１１の裏面側に形成された嵌合凹部に嵌め込まれる、合板や中質繊維板（ＭＤＦ）等からなる裏板１５とから構成されており、図１（ａ）、（ｂ）に示すように、前記パネル基材１１の表面には、長手方向に伸びる３本の擬似溝１１ａが一定間隔で形成されていると共に、その端面には、実結合するための雄実部１１ｂまたは雌実部１１ｃが形成されている（図２（ｂ）参照）。
【００１３】
前記パネル基材１１の裏面側には、図１（ｂ）に示すような所定のヒータパターンで布線される線ヒータ２０を収容するためのヒータ収容溝１１ｄ（図２（ｂ）参照）及び電源線３０を収容するための電源線収容溝１１ｅ（図２（ｃ）参照）がそれぞれ形成されており、図２（ａ）〜（ｃ）に示すように、ヒータ収容溝１１ｄ及び電源線収容溝１１ｅは、線ヒータ２０及び電源線３０がそれぞれ収容された状態で、裏板１５により閉塞されるようになっている。
【００１４】
また、パネル基材１１の裏面側には、図２（ｃ）に示すように、その長辺部分に前記コネクタ４０ａ、４０ｂをそれぞれ収容するための収容凹部１２、１３が形成されており、収容凹部１３の一部が裏板１５によって覆われるようになっている。一方のコネクタ４０ａは、収容凹部１２内に収容された状態で固定設置されているが、他方のコネクタ４０ｂは、図２（ｃ）及び図３（ａ）に示すように、パネル基材１１から引出可能に収容凹部１３内に収容されるようになっている。
【００１５】
コネクタ４０ｂをパネル基材１１から引出可能に収容する収容凹部１３には、図２（ｃ）及び図３（ａ）、（ｂ）に示すように、その上面１３ａに、門型の補強板１４が固着されており、この補強板１４によって収容凹部１３の上面１３ａが完全に覆われている。この補強板１４は、アルマイト仕上げ（絶縁処理済み）のアルミニウムによって形成されており、図４に示すように、収容凹部１３の上面１３ａを覆う本体部１４ａと、この本体部１４ａの両側縁から垂下した垂下部１４ｂとから構成されている。
【００１６】
収容凹部１３は、図３（ａ）に示すように、電源線３０の一部を屈曲させた状態でコネクタ４０ｂと共に収容しなければならないので、図２（ｃ）に示すように、収容凹部１２に比べてその奥行きが大きくなっており、収容凹部１３の奥行き方向の内端１３ｂが擬似溝１１ａを越え、しかも、擬似溝１１ａとの距離Ｌ1が１０ｍｍ以上になるように設定されている。
【００１７】
以上のように構成された床暖房パネル１は、コネクタ４０ｂを引出可能に収容する収容凹部１３を、その奥行き方向の内端１３ｂがパネル基材１０の表面に形成された擬似溝１１ａを越えてその擬似溝１１ａから１０ｍｍ以上離れた位置にくるように形成したため、収容凹部１３を形成することによって擬似溝１１ａの近傍におけるパネル基材１１の厚みが小さくなっても、その厚みの小さい擬似溝１１ａの近傍部分は、補強板１４の端縁以外の部分によって確実に補強された状態となっている。従って、この床暖房パネル１を敷設して床暖房フロアを形成した場合、各床暖房パネル１の収容凹部１３が形成されている部分に衝撃荷重が加わったとしても、その擬似溝１１ａ部分でパネル本体１０が破壊されにくくなる。
【００１８】
図５は他の実施形態を示している。この床暖房パネル１ａは、上述した床暖房パネル１と略同一構成ゆえ、同一構成要素には同一符号を付してその説明を省略し、異なる部分について説明する。この床暖房パネル１ａは、コネクタ４０ｂを引出可能に収容する収容凹部１３を、その奥行き方向の内端１３ｂがパネル基材１０の表面に形成された擬似溝１１ａから所定距離（Ｌ2＝１０ｍｍ）以上手前に位置するように形成した点で、奥行き方向の内端１３ｂがパネル基材１０の擬似溝１１ａを越えてその擬似溝１１ａから１０ｍｍ以上離れた位置にくるように、収容凹部１３を形成している床暖房パネル１と異なる。なお、この床暖房パネル１ａでは、収容凹部１３の奥行きを短めに設定することで、収容凹部１３内における電源線３０の収容領域を十分に確保することができないので、収容凹部１３の幅を広げることによって、電源線３０の収容領域を確保するようにしている。
【００１９】
以上のように、この床暖房パネル１ａは、コネクタ４０ｂを引出可能に収容する収容凹部１３を、その奥行き方向の内端１３ｂがパネル基材１０の表面に形成された擬似溝１１ａから１０ｍｍ以上手前に位置するように形成したため、収容凹部１３を形成することによって擬似溝１１ａの近傍におけるパネル基材１１の厚みが小さくなることがなく、厚みの小さい収容凹部１３の形成部分については、補強板１４によって確実に補強された状態となっている。従って、この床暖房パネル１ａを敷設して床暖房フロアを形成した場合、各床暖房パネル１ａの収容凹部１３の形成部分に衝撃荷重が加わったとしても、擬似溝１１ａ部分におけるパネル本体１０の破壊が有効に防止される。
【００２０】
なお、上述した各実施形態では、パネル本体１０に線ヒータ２０を内蔵した場合について説明したが、本発明の床暖房パネルは、線ヒータに限定されるものではなく、自己温度制御特性を有する面状発熱体のような種々の電気ヒータを使用することが可能である。
【００２１】
また、上述した各実施形態では、捨貼合板等の上に敷設する捨て貼りタイプの床暖房パネルについて説明したが、本発明は、例えば、パネル本体１０を構成する裏板１５に代えてクッション性の良好な緩衝材を貼着した直貼りタイプの床暖房パネル等についても適用することができる。
【００２２】
また、上述した各実施形態は、パネル本体１０が長方形状の床暖房パネルであるが、本発明の床暖房パネルは、こういった形状に限定されるものではなく、パネル本体が雁行形状の床暖房パネルについても適用することができることは言うまでもない。
【００２３】
また、上述した各実施形態では、アルミニウム製の補強板を使用しているが、アルミニウム以外の金属や合成樹脂によって形成された補強板を使用することもでき、垂下部１４ｂを省略することも可能である。ただし、垂下部１４ｂを設けることによって、補強板１４の強度が向上することはいうまでもない。
【図面の簡単な説明】
【図１】（ａ）はこの発明にかかる床暖房パネルの一実施形態を示す平面図、（ｂ）は同上の床暖房パネルにおける裏板を外した状態を示す裏面図である。
【図２】（ａ）は同上の床暖房パネルを示す裏面図、（ｂ）は図１（ａ）のＸ−Ｘ線に沿った断面図、（ｃ）は図１（ａ）のＹ−Ｙ線に沿った断面図である。
【図３】（ａ）はコネクタを収納した状態を示す断面図、（ｂ）はコネクタを収納した状態を示す端面図である。
【図４】同上の床暖房パネルに使用される補強板を示す斜視図である。
【図５】（ａ）は他の実施形態である床暖房パネルを示す平面図、（ｂ）は同上の床暖房パネルを示す断面図である。
【図６】従来の床暖房パネルを示す平面図である。
【図７】（ａ）〜（ｃ）は同上の床暖房パネルを示す断面図である。
【図８】同上の床暖房パネルにおけるコネクタを収容した状態を示す端面図である。
【符号の説明】
１  床暖房パネル
１０  パネル本体
１１  パネル基材
１１ａ  擬似溝
１２、１３  収容凹部
１３ｂ  内端
１４  補強板
１５  裏板
２０  線ヒータ
３０  電源線
４０ａ、４０ｂ  コネクタ
【図１】
0004100839.tif 000002
【図２】
0004100839.tif 000003
【図３】
0004100839.tif 000004
【図４】
0004100839.tif 000005
【図５】
0004100839.tif 000006
【図６】
0004100839.tif 000007
【図７】
0004100839.tif 000008
【図８】
0004100839.tif 000009